(57)【要約】      （修正有）【課題】折り畳んだ際に浮きが生じず、しかも容易に長尺状に展開することができる形態で折り畳まれた粘着テープ又はシートを提供する。【解決手段】粘着テープ又はシート１は、長尺状の支持体２の両表面における所定の部位に、粘着剤層３ａ１，３ａ２，３ｂ２、仮着剤層３ｃ２，３ｄ１、離型処理層３ｂ１，３ｃ１，３ｄ２が形成され、且つ、一方の端部１ｂが他方の端部より突出した状態となって、つまみ部４が形成される形態で折り畳まれているとともに、この折り畳まれた際の折り目部１ｃ又はさらに折り畳まれた際の折り目部１ｄが、突出した端部側の部位の面に、該突出した端部よりも手前側に位置する状態となって、前記突出した端部がつまみ部となる形態で、さらに、１回又は２回以上折り曲げることにより折り畳まれた構成を有しており、前記つまみ部４を引っ張ることにより長尺状に展開させることが可能な粘着テープ又はシートである。【選択図】図１
2005054135.tif 000002
【特許請求の範囲】
【請求項１】
長尺状の支持体の両表面における所定の部位に、粘着剤層、仮着剤層、離型処理層が形成され、且つ、一方の端部が他方の端部より突出した状態となって、つまみ部が形成される形態で折り畳まれているとともに、この折り畳まれた際の折り目部又はさらに折り畳まれた際の折り目部が、突出した端部側の部位の面に、該突出した端部よりも手前側に位置する状態となって、前記突出した端部がつまみ部となる形態で、さらに、１回又は２回以上折り曲げることにより折り畳まれた構成を有しており、前記つまみ部を引っ張ることにより長尺状に展開させることが可能な粘着テープ又はシートであって、下記の（ａ）〜（ｄ）の構成を有していることを特徴とする粘着テープ又はシート。
（ａ）支持体の突出していない端部側の部位の表面に、物品に貼付するための粘着剤層を有する構成
（ｂ）支持体の突出していない端部側の部位における突出した端部側の部位側の面に、粘着剤層を有し、且つ突出していない端部側の部位と、突出した端部側の部位とが、離型処理層により剥離可能に貼り合わせられた構成
（ｃ）支持体の突出した端部側の部位における最初に折り畳んだ際の折り目部側の部位側の面に、物品に貼付するための粘着剤層を有し、且つ突出した端部側の部位と、該突出した端部側の部位と対向している最初に折り畳んだ際の折り目部側の部位とが、離型処理層により剥離可能に貼り合わせられた構成
（ｄ）支持体の突出していない端部側の部位と、突出した端部側の部位との間の部位どうしが、仮着剤層により剥離可能に仮着された構成
【請求項２】
長尺状の支持体の両表面における所定の部位に、粘着剤層、仮着剤層、離型処理層が形成され、且つ、一方の端部が他方の端部より突出した状態となって、つまみ部が形成される形態で折り畳まれているとともに、この折り畳まれた際の折り目部が、突出した端部側の部位の面に、該突出した端部よりも手前側に位置する状態となって、前記突出した端部がつまみ部となる形態で、さらに折り畳まれた構成を有しており、前記つまみ部を引っ張ることにより長尺状に展開させることが可能であり、さらに、下記の（ａ１）〜（ｄ１）の構成を有している請求項１記載の粘着テープ又はシート。
（ａ１）支持体の突出していない端部側の部位の表面に、物品に貼付するための粘着剤層を有する構成
（ｂ１）支持体の突出していない端部側の部位における突出した端部側の部位側の面に、粘着剤層を有し、且つ突出していない端部側の部位と、突出した端部側の部位とが、離型処理層により剥離可能に貼り合わせられた構成
（ｃ１）支持体の突出した端部側の部位における最初に折り畳んだ際の折り目部側の部位側の面に、物品に貼付するための粘着剤層を有し、且つ突出した端部側の部位と、該突出した端部側の部位と対向している最初に折り畳んだ際の折り目部側の部位とが、離型処理層により剥離可能に貼り合わせられた構成
（ｄ１）支持体の最初に折り畳んだ際の折り目部側の部位どうしが、仮着剤層により剥離可能に仮着された構成
【請求項３】
支持体の突出した端部側の部位の面と突出していない端部側の部位の面との間の剥離力をＦ1とし、また、突出した端部側の部位の面と該突出した端部側の部位に対向している最初に折り畳んだ際の折り目部側の部位の面との間の剥離力をＦ2とし、さらに、１回又は２回以上折り曲げることにより折り畳んだ際の支持体の突出していない端部側の部位と、突出した端部側の部位との間の部位における対向する面どうしの間の剥離力を、支持体の突出した端部側の部位側から、Ｆ31〜Ｆ3n（ｎは、支持体の突出していない端部側の部位と、突出した端部側の部位との間の部位における互いに対向している面の組み合わせの数）とした際に、Ｆ1、Ｆ2およびＦ3が下記の関係式（１）を満足している請求項１又は２記載の粘着テープ又はシート。
Ｆ1＜Ｆ31〜Ｆ3n＜Ｆ2        （１）
【請求項４】
支持体が、一方の端部から他方の端部まで連続的に形成された構成を有している請求項１〜３の何れかの項に記載の粘着テープ又はシート。
【請求項５】
支持体が、ポリオレフィン系樹脂により形成されている請求項１〜４の何れかの項に記載の粘着テープ又はシート。
【請求項６】
紙おむつを廃棄する際に丸めた状態で保持させるための拘束用粘着テープ又はシートが設けられている紙おむつであって、前記拘束用粘着テープ又はシートとして、請求項１〜５の何れかの項に記載の粘着テープ又はシートが用いられていることを特徴とする紙おむつ。
【請求項７】
拘束用粘着テープ又はシートが、紙おむつの背側表面におけるウエスト部の上下幅領域内に位置する部位に、長手方向が胴回り方向となるように貼付されている請求項６記載の紙おむつ。
【請求項８】
拘束用粘着テープ又はシートが、つまみ部どうしが対面する形態で、２つ貼付されている請求項７記載の紙おむつ。
【請求項９】
拘束用粘着テープ又はシートを長尺状に展開した際の長さが、紙おむつを丸めた状態で拘束して保持させるのに十分な長さである請求項６〜８の何れかの項に記載の紙おむつ。
【請求項１０】
パンツ型紙おむつである請求項６〜９の何れかの項に記載の紙おむつ。
【発明の詳細な説明】
【技術分野】
【０００１】
本発明は、粘着テープ又はシート、および紙おむつに関し、さらに詳しくは、容易に展開することができる形態で折り畳まれた粘着テープ又はシート、および該粘着テープ又はシートが設けられ、廃棄する際に丸めた状態を容易に保持させることが可能な紙おむつに関する。
【背景技術】
【０００２】
紙おむつ（特に、パンツ型紙おむつ）には、廃棄の際に、丸めた状態で保持させるための拘束用粘着テープ又はシートが設けられている。このような拘束用粘着テープ又はシートとしては、従来、自由端部をおむつ廃棄時に用いる止着部となしてあり、且つその伸展時に該止着部がウエスト部の開口縁部を超えて位置し得る長さを有し、固定部を含む領域、上記止着部を含む領域および上記両領域を連結する中間領域の３層からなる３つ折り状態に折りたたまれているもの（特許文献１参照）や、いずれか一方の端部の表面に、被着面に固定するための固定部を設けたテープ状の支持体を、前記固定部が外側に位置するようにほぼ二つ折りにして、当該二つ折りにした支持体を折り目側から、順次同じ方向に少なくとも１回以上繰り返して折り畳み若しくは巻回したこともの（特許文献２参照）などが提案されている。
【０００３】
【特許文献１】実公平８−１０３０５号公報
【特許文献２】特開平９−２７２８４５号公報
【発明の開示】
【発明が解決しようとする課題】
【０００４】
しかしながら、パンツ型紙おむつに用いられている従来の拘束用粘着テープ又はシートは、折り畳まれている状態では、各支持体間の密着性が低く空間が生じており、そのため浮きが生じている。また、厚みが厚く、且つ柔軟性も十分でない場合がある。特に、より一層容易に長尺状に展開することができるものが求められている。
【０００５】
さらにまた、紙おむつは、使用後には廃棄されるものであるため（すなわち、使い捨てタイプであるため）、ゴミの減量等の観点から、廃棄時には、より一層コンパクトに小さく丸めた状態とすることができる紙おむつが求められている。
【０００６】
従って、本発明の目的は、折り畳んだ際に浮きが生じず、しかも容易に長尺状に展開することができる形態で折り畳まれた粘着テープ又はシートを提供することにある。
本発明の他の目的は、紙おむつを廃棄する際に丸めた状態で保持させるための拘束用粘着テープ又はシートとして好適に用いることができる粘着テープ又はシートを提供することにある。
本発明のさらに他の目的は、廃棄する際に丸めた状態を容易に保持させることが可能な紙おむつを提供することにある。
本発明の別の目的は、廃棄する際の丸めた状態を、より一層小さくすることが可能な紙おむつを提供することにある。
【課題を解決するための手段】
【０００７】
本発明者らは上記の問題点を解決するために鋭意検討した結果、粘着テープ又はシートを、特定の構成で折り畳むと、折り畳んだ際に浮きが生じず、しかも容易に長尺状に展開することができることを見出した。また、このような形態で折り畳まれた粘着テープ又はシートを紙おむつに装着すると、紙おむつを廃棄する際に丸めた状態を容易に保持させることができることを見出した。本発明はこれらの知見に基づいて完成されたものである。
【０００８】
すなわち、本発明は、長尺状の支持体の両表面における所定の部位に、粘着剤層、仮着剤層、離型処理層が形成され、且つ、一方の端部が他方の端部より突出した状態となって、つまみ部が形成される形態で折り畳まれているとともに、この折り畳まれた際の折り目部又はさらに折り畳まれた際の折り目部が、突出した端部側の部位の面に、該突出した端部よりも手前側に位置する状態となって、前記突出した端部がつまみ部となる形態で、さらに、１回又は２回以上折り曲げることにより折り畳まれた構成を有しており、前記つまみ部を引っ張ることにより長尺状に展開させることが可能な粘着テープ又はシートであって、下記の（ａ）〜（ｄ）の構成を有していることを特徴とする粘着テープ又はシートである。
（ａ）支持体の突出していない端部側の部位の表面に、物品に貼付するための粘着剤層を有する構成
（ｂ）支持体の突出していない端部側の部位における突出した端部側の部位側の面に、粘着剤層を有し、且つ突出していない端部側の部位と、突出した端部側の部位とが、離型処理層により剥離可能に貼り合わせられた構成
（ｃ）支持体の突出した端部側の部位における最初に折り畳んだ際の折り目部側の部位側の面に、物品に貼付するための粘着剤層を有し、且つ突出した端部側の部位と、該突出した端部側の部位と対向している最初に折り畳んだ際の折り目部側の部位とが、離型処理層により剥離可能に貼り合わせられた構成
（ｄ）支持体の突出していない端部側の部位と、突出した端部側の部位との間の部位どうしが、仮着剤層により剥離可能に仮着された構成
【０００９】
本発明の粘着テープ又はシートとしては、長尺状の支持体の両表面における所定の部位に、粘着剤層、仮着剤層、離型処理層が形成され、且つ、一方の端部が他方の端部より突出した状態となって、つまみ部が形成される形態で折り畳まれているとともに、この折り畳まれた際の折り目部が、突出した端部側の部位の面に、該突出した端部よりも手前側に位置する状態となって、前記突出した端部がつまみ部となる形態で、さらに折り畳まれた構成を有しており、前記つまみ部を引っ張ることにより長尺状に展開させることが可能であり、さらに、下記の（ａ１）〜（ｄ１）の構成を有していることが好ましい。
（ａ１）支持体の突出していない端部側の部位の表面に、物品に貼付するための粘着剤層を有する構成
（ｂ１）支持体の突出していない端部側の部位における突出した端部側の部位側の面に、粘着剤層を有し、且つ突出していない端部側の部位と、突出した端部側の部位とが、離型処理層により剥離可能に貼り合わせられた構成
（ｃ１）支持体の突出した端部側の部位における最初に折り畳んだ際の折り目部側の部位側の面に、物品に貼付するための粘着剤層を有し、且つ突出した端部側の部位と、該突出した端部側の部位と対向している最初に折り畳んだ際の折り目部側の部位とが、離型処理層により剥離可能に貼り合わせられた構成
（ｄ１）支持体の最初に折り畳んだ際の折り目部側の部位どうしが、仮着剤層により剥離可能に仮着された構成
【００１０】
前記粘着テープ又はシートとしては、支持体の突出した端部側の部位の面と突出していない端部側の部位の面との間の剥離力をＦ1とし、また、突出した端部側の部位の面と該突出した端部側の部位に対向している最初に折り畳んだ際の折り目部側の部位の面との間の剥離力をＦ2とし、さらに、１回又は２回以上折り曲げることにより折り畳んだ際の支持体の突出していない端部側の部位と、突出した端部側の部位との間の部位における対向する面どうしの間の剥離力を、支持体の突出した端部側の部位側から、Ｆ31〜Ｆ3n（ｎは、支持体の突出していない端部側の部位と、突出した端部側の部位との間の部位における互いに対向している面の組み合わせの数）とした際に、Ｆ1、Ｆ2およびＦ3が下記の関係式（１）を満足していることが好ましい。
Ｆ1＜Ｆ31〜Ｆ3n＜Ｆ2        （１）
【００１１】
また、支持体としては、一方の端部から他方の端部まで連続的に形成された構成を有していることが好ましく、特に、ポリオレフィン系樹脂により形成されていることが好ましい。
【００１２】
本発明は、また、紙おむつを廃棄する際に丸めた状態で保持させるための拘束用粘着テープ又はシートが設けられている紙おむつであって、前記拘束用粘着テープ又はシートとして、前記粘着テープ又はシートが用いられていることを特徴とする紙おむつである。
【００１３】
前記紙おむつにおいて、拘束用粘着テープ又はシートとしては、紙おむつの背側表面におけるウエスト部の上下幅領域内に位置する部位に、長手方向が胴回り方向となるように貼付されていてもよく、特に、この際、つまみ部どうしが対面する形態で、２つ貼付されていてもよい。なお、拘束用粘着テープ又はシートを長尺状に展開した際の長さとしては、紙おむつを丸めた状態で拘束して保持させるのに十分な長さであることが好ましい。さらにまた、このような紙おむつとしては、パンツ型紙おむつが好適である。
【発明の効果】
【００１４】
本発明の粘着テープ又はシートによれば、折り畳んだ際に浮きが生じず、しかも容易に長尺状に展開することができる形態で折り畳まれている。従って、前記粘着テープ又はシートは紙おむつを廃棄する際に丸めた状態で保持させるための拘束用粘着テープ又はシートとして好適に用いることができる。
【００１５】
また、本発明の紙おむつによれば、廃棄する際に丸めた状態を容易に保持させることできる。しかも、廃棄する際の丸めた状態を、より一層小さくすることが可能である。
【発明を実施するための最良の形態】
【００１６】
以下に、本発明の実施の形態を、必要に応じて図面を参照しつつ詳細に説明する。なお、同一の部材や部位などには同一の符号を付している場合がある。
［粘着テープ又はシート］
図１は、本発明の粘着テープ又はシートの一例を示す概略断面図である。図１において、１は粘着テープ又はシート（「粘着テープ」と称する場合がある）、１ａは突出していない端部（「非突出端部」と称する場合がある）、１ｂは突出した端部（「突出端部」と称する場合がある）、１ｃは突出端部１ｂが非突出端部１ａより突出した状態として折り畳まれた際の折り目部（「第１折り目部」と称する場合がある）、１ｄは第１折り目部を突出端部１ｂ側の面に、該突出端部１ｂよりも手前側に位置する状態として折り畳まれた際の折り目部（「第２折り目部」と称する場合がある）、２は支持体、２ａは支持体２の突出していない端部側の部位（「貼付部位」と称する場合がある）、２ｂは支持体２の突出した端部側の部位（「展開部位」と称する場合がある）、２ｃは支持体２の突出した端部側の部位２ｂと対向している内面側の折り目部間の部位（「展開側中間部位」と称する場合がある）、２ｄは支持体２の外面側の折り目部間の部位（「貼付側中間部位」と称する場合がある）、３ａ１は粘着剤層（「貼付粘着剤層」と称する場合がある）、３ａ２は粘着剤層（「固定粘着剤層」と称する場合がある）、３ｂ１は離型処理層（「固定粘着剤層用離型処理層」と称する場合がある）、３ｂ２は粘着剤層（「展開粘着剤層」と称する場合がある）、３ｂ３は印刷層（「つまみ部用印刷層」と称する場合がある）、３ｃ１は離型処理層（「展開粘着剤層用離型処理層」と称する場合がある）、３ｃ２は仮着剤層（「第１仮着剤層」と称する場合がある）、３ｄ１は仮着剤層（「第２仮着剤層」と称する場合がある）、３ｄ２は離型処理層（「貼付粘着剤層用離型処理層」と称する場合がある）、４はつまみ部である。また、Ｆ1aは、固定粘着剤層３ａ２と、固定粘着剤層用離型処理層３ｂ１との間の剥離力、Ｆ2aは、展開粘着剤層３ｂ２と、展開粘着剤層用離型処理層３ｃ１との間の剥離力、Ｆ3aは、第１仮着剤層３ｃ２と、第２仮着剤層３ｄ１との間の剥離力である。
【００１７】
具体的には、粘着テープ１において、支持体２は、貼付部位２ａ、貼付側中間部位２ｄ、展開側中間部位２ｃおよび展開部位２ｂの順で直列的に配列された構成の長尺状のシートが、展開部位２ｂの端部が貼付部位２ａの端部より突出した状態で折り畳まれ、さらに、この折り畳まれた際の折り目部１ｃ（第１折り目部１ｃ；すなわち、貼付側中間部位２ｄと展開側中間部位２ｃとの境界部）が、展開部位２ｂの面に、該展開部位２ｂの端部よりも手前側に位置する状態で折り畳まれた構成を有している。なお、貼付部位２ａと貼付側中間部位２ｄとの境界部、および展開側中間部位２ｃと展開部位２ｂとの境界部は、第２折り目部１ｄとなっている。また、展開部位２ｂの端部に位置する部位は、つまみ部４となっている。さらに、貼付部位２ａにおいて、表面側の面には物品に貼付するための貼付粘着剤層３ａ１が形成され、また、展開部位２ｂ側の面（内面側の面）には固定粘着剤層３ａ２が形成されている。展開部位２ｂにおいて、貼付部位２ａ側の面には固定粘着剤層３ａ２と剥離可能に貼り合わせるための固定粘着剤層用離型処理層３ｂ１が形成され、また、展開側中間部位２ｃ側の面には物品に貼付するための展開粘着剤層３ｂ２が形成され、さらに、つまみ部４に位置する部位には展開側中間部位２ｃ側の面につまみ部用印刷層３ｂ３が形成されている。展開側中間部位２ｃにおいて、展開部位２ｂ側の面には展開粘着剤層３ｂ２と剥離可能に貼り合わせるための展開粘着剤層用離型処理層３ｃ１が形成され、貼付側中間部位２ｄ側の面には貼付側中間部位２ｄと剥離可能に貼り合わせるための第１仮着剤層３ｃ２が形成されている。貼付側中間部位２ｄにおいて、展開側中間部位２ｃ側の面には展開側中間部位２ｃと剥離可能に貼り合わせるための第２仮着剤層３ｄ１が形成され、外面側の面には貼付粘着剤層用離型処理層３ｄ２が形成されている。
【００１８】
従って、貼付部位２ａと展開部位２ｂとは、剥離可能なように貼り合わせられており、また、展開部位２ｂと展開側中間部位２ｃとは、剥離可能なように貼り合わせられており、さらにまた、展開側中間部位２ｃと貼付側中間部位２ｄとは、剥離可能なように仮着されている。すなわち、粘着テープ１として、支持体２の各部位２ａ〜２ｄの対面する部位同士の面は、剥離可能なように貼り合わせられている。そのため、粘着テープ１は、つまみ部４を引っ張ることにより長尺状に展開させることができる。例えば、貼付部位２ａの粘着剤層３ａ１を利用して、折り畳まれた状態の粘着テープ１を物品に貼付させた状態で（このとき、貼付部位２ａが物品に貼付により固定されている）、つまみ部４を、第１折り目部１ｃ側の方向（すなわち、図１では上の方向）に引っ張り、必要に応じて、さらに第２折り目部１ｄ側の方向（すなわち、図１では右の方向）に引っ張ることにより、各部位２ａ〜２ｄ間の界面で剥離が生じて、容易に、長尺状に展開させることができる。なお、長尺状に展開させる方向としては、貼付部位における突出していない端部から第２折り目部の方向（図１では右の方向）である。
【００１９】
なお、図１などは、層構成が明確になるように図示されているため、第１折り目部１ｃや、第２折り目部１ｄは、厚み方向に幅があり、該幅の上下部の２カ所で折られている形態で表現されているが、実際は、折り畳む際の方法に応じて、Ｕ字型に折られた形態、Ｖ字型に折られた形態などの各種形態で折られた形態となる。
【００２０】
本発明の粘着テープ又はシート（「折り畳み型粘着テープ又はシート」と称する場合がある）としては、図１で示されるように、一方の端部が他方の端部より突出した状態となって、つまみ部が形成される形態で折り畳まれた後、この折り畳まれた際の折り目部が、突出した端部側の部位の面に、該突出した端部よりも手前側に位置する状態となって、前記突出した端部がつまみ部となる形態で、さらに折り畳まれた構成を有していてもよく、また、図２で示されるように、一方の端部が他方の端部より突出した状態となって、つまみ部が形成される形態で折り畳まれた後、この折り畳みよりもさらに折り畳まれた際の折り目部が、突出した端部側の部位の面に、該突出した端部よりも手前側に位置する状態となって、前記突出した端部がつまみ部となる形態で、さらに、２回以上折り曲げることにより折り畳まれた構成［例えば、蛇腹状又はアコーディオン状（アコーディオンの伸縮部位の形状）に２回以上折り曲げることにより折り畳まれた構成、または巻回状に２回以上折り曲げることにより折り畳まれた構成］を有していてもよい。
【００２１】
なお、前記折り畳み型粘着テープ又はシートにおける「一方の端部が他方の端部より突出した状態となって、つまみ部が形成される形態で折り畳まれている」構成としては、折り畳んだ結果、一方の端部が他方の端部より突出した状態となって、つまみ部が形成された構成であればよく、従って、一方の端部が他方の端部より突出した状態で折り畳んだ結果、一方の端部が他方の端部より突出した状態となる構成であってもよく、一方の端部が他方の端部より手前側に位置する状態で折り畳んだ結果、一方の端部が他方の端部より突出した状態となる構成であってもよい。
【００２２】
図２は、本発明の粘着テープ又はシートの他の例を示す概略断面図であり、図２（ａ）は、一方の端部が他方の端部より突出した状態となって、つまみ部が形成される形態で折り畳まれた後、この折り畳まれた際の折り目部側の部位を、さらに折り畳まれた際の折り目部が、突出した端部側の部位の面に、該突出した端部よりも手前側に位置する状態となって、前記突出した端部がつまみ部となる形態で、さらに、２回折り曲げることにより折り畳まれた構成の例を示しており、図２（ｂ）は、一方の端部が他方の端部より突出した状態となって、つまみ部が形成される形態で折り畳まれた後、この折り畳まれた際の折り目部側の部位を、さらに折り畳まれた際の折り目部が、突出した端部側の部位の面に、該突出した端部よりも手前側に位置する状態となって、前記突出した端部がつまみ部となる形態で、さらに、３回折り曲げることにより折り畳まれた構成の例を示している。なお、図２において、２ｅは支持体２の貼付部位２ａと展開部２ｂとの間の中間部位、３ｅ１は仮着剤層、３ｅ２は仮着剤層、３ｆ１は仮着剤層、３ｆ２は仮着剤層、３ｇ１は仮着剤層、３ｇ２は仮着剤層、３ｈ１は仮着剤層、３ｈ２は仮着剤層であり、１ａ〜１ｅ、２、２ａ、２ｂ、３ａ１、３ａ２、３ｂ１、３ｂ２、３ｂ３、３ｃ１、３ｃ２、３ｄ１、３ｄ２、４、５ａ、５ｂなどの符号は、前記に同じ。
【００２３】
このように、本発明の折り畳み型粘着テープ又はシートは、「一方の端部が他方の端部より突出した状態（又は手前側に位置する状態）となって、つまみ部が形成される形態で折り畳まれているとともに、この折り畳まれた際の折り目部又はさらに折り畳まれた際の折り目部が、突出した端部側の部位の面に、該突出した端部よりも手前側に位置する状態となって、前記突出した端部がつまみ部となる形態で、さらに、１回又は２回以上折り曲げることにより折り畳まれた構成」を有することができる。なお、前述のように、一方の端部を他方の端部より突出した状態として折り畳んだ後に、「さらに、１回又は２回以上折り曲げる」際の折り曲げる回数としては、特に制限されず、使用目的、折り畳んだ際の長さ、長尺状に展開した際の長さ、折り畳まれた際の厚み等に応じて適宜選択することができる。例えば、下記に示されるように、折り畳み型粘着テープ又はシートを紙おむつの拘束用粘着テープ又はシートとして用いる場合は、「さらに、１回又は２回以上折り曲げる」際の折り曲げる回数は、１回であることが好ましいが、もちろん、２回以上（例えば、２回や３回）であってもよい。
【００２４】
すなわち、本発明の折り畳み型粘着テープ又はシートは、長尺状の支持体の両表面における所定の部位に、粘着剤層、仮着剤層、離型処理層が形成され、且つ、一方の端部が他方の端部より突出した状態となって、つまみ部が形成される形態で折り畳まれているとともに、この折り畳まれた際の折り目部又はさらに折り畳まれた際の折り目部が、突出した端部側の部位の面に、該突出した端部よりも手前側に位置する状態となって、前記突出した端部がつまみ部となる形態で、さらに、１回又は２回以上折り曲げることにより折り畳まれた構成を有しており、前記つまみ部を引っ張ることにより長尺状に展開させることが可能な粘着テープ又はシートであって、下記の（ａ）〜（ｄ）の構成を有している。
（ａ）支持体の突出していない端部側の部位（貼付部位）の表面に、物品に貼付するための粘着剤層を有する構成
（ｂ）貼付部位における突出した端部側の部位（展開部位）側の面（内面側の面）に、粘着剤層を有し、且つ貼付部位と、展開部位とが、離型処理層により剥離可能に貼り合わせられた構成
（ｃ）展開部位における最初に折り畳んだ際の折り目部（第１折り目部）側の部位側の面に、物品に貼付するための粘着剤層を有し、且つ展開部位と、該展開部位と対向している第１折り目部側の部位とが、離型処理層により剥離可能に貼り合わせられた構成
（ｄ）貼付部位と、展開部位との間の部位どうしが、仮着剤層により剥離可能に仮着された構成
【００２５】
折り畳み型粘着テープ又はシートとしては、図１で示されるように、長尺状の支持体の両表面における所定の部位に、粘着剤層、仮着剤層、離型処理層が形成され、且つ、一方の端部が他方の端部より突出した状態となって、つまみ部が形成される形態で折り畳まれているとともに、この折り畳まれた際の折り目部が、突出した端部側の部位の面に、該突出した端部よりも手前側に位置する状態となって、前記突出した端部がつまみ部となる形態で、さらに折り畳まれた構成を有しており、前記つまみ部を引っ張ることにより長尺状に展開させることが可能であり、さらに、下記の（ａ１）〜（ｄ１）の構成を有していることが好ましい。
（ａ１）支持体の突出していない端部側の部位（貼付部位）の表面に、物品に貼付するための粘着剤層（貼付粘着剤層）を有する構成
（ｂ１）貼付部位における突出した端部側の部位（展開部位）側の面（内面側の面）に、粘着剤層（固定粘着剤層）を有し、且つ貼付部位と、展開部位とが、離型処理層（固定粘着剤層用離型処理層）により剥離可能に貼り合わせられた構成
（ｃ１）展開部位における最初に折り畳んだ際の折り目部（第１折り目部）側の部位側の面に、物品に貼付するための粘着剤層（展開粘着剤層）を有し、且つ展開部位と、該展開部位と対向している第１折り目部側の部位（展開側中間部位）とが、離型処理層（展開粘着剤層用離型処理層）により剥離可能に貼り合わせられた構成
（ｄ１）支持体の第１折り目部側の部位（展開側中間部位および貼付側中間部位）どうしが、仮着剤層（第１仮着剤層および第２仮着剤層）により剥離可能に仮着された構成
【００２６】
なお、本発明の折り畳み型粘着テープ又はシートを長尺状に展開させる際、各部位間の界面（例えば、図１で示される粘着テープ１では、各部位２ａ〜２ｄ間の界面）で剥離が生じる順序は特に制限されない。例えば、図１で示される粘着テープ１を長尺状に展開させる場合、（１）貼付部位２ａおよび展開部位２ｂの界面と、展開部位２ｂおよび展開側中間部位２ｃの界面と、展開側中間部位２ｃおよび貼付側中間部位２ｄの界面との界面のうちいずれか１つの界面で剥離が生じた後、まだ剥離が生じていない界面のうちいずれか一方の界面で剥離が生じてから、他方の界面で剥離が生じてもよく、（２）貼付部位２ａおよび展開部位２ｂの界面と、展開部位２ｂおよび展開側中間部位２ｃの界面と、展開側中間部位２ｃおよび貼付側中間部位２ｄの界面との界面のうちいずれか２つの界面で並行して剥離が生じた後、残部の界面で剥離が生じてもよく、（３）貼付部位２ａおよび展開部位２ｂの界面と、展開部位２ｂおよび展開側中間部位２ｃの界面と、展開側中間部位２ｃおよび貼付側中間部位２ｄの界面との界面の３つの界面で並行して剥離が生じてもよい。
【００２７】
特に、粘着テープ１としては、展開操作の容易性の観点等から、貼付部位２ａおよび展開部位２ｂの界面で剥離が生じた後、展開側中間部位２ｃおよび貼付側中間部位２ｄの界面で剥離が生じ、さらにその後、展開部位２ｂおよび展開側中間部位２ｃの界面で剥離が生じるように展開する形態を有していることが好ましい。このように、本発明では、折り畳み型粘着テープ又はシートとしては、突出していない端部側の部位と、突出した端部側の部位との界面で剥離が生じた後、支持体の突出していない端部側の部位と、突出した端部側の部位との間の部位どうしの界面で剥離が生じ、その後、突出した端部側の部位と、該突出した端部側の部位と対向している最初に折り畳んだ際の折り目部側の部位との界面で剥離が生じるように展開する形態を有していることが好ましい。
【００２８】
従って、本発明では、支持体の突出した端部側の部位の面と突出していない端部側の部位の面との間の剥離力をＦ1とし、また、突出した端部側の部位の面と該突出した端部側の部位に対向している最初に折り畳んだ際の折り目部側の部位の面との間の剥離力をＦ2とし、さらに、１回又は２回以上折り曲げることにより折り畳んだ際の支持体の突出していない端部側の部位と、突出した端部側の部位との間の部位における対向する面どうしの間の剥離力を、支持体の突出した端部側の部位側から、Ｆ31〜Ｆ3n（ｎは、支持体の突出していない端部側の部位と、突出した端部側の部位との間の部位における互いに対向している面の組み合わせの数）とした際に、Ｆ1、Ｆ2およびＦ3が下記の関係式（１）を満足していることが好ましい。
Ｆ1＜Ｆ31〜Ｆ3n＜Ｆ2        （１）
【００２９】
前記Ｆ31〜Ｆ3nは、それぞれの間での大きさの関係は、特に制限されず、すべて同一の大きさを有する関係であってもよく、それぞれの間で部分的に同一の大きさを有する関係であってもよく、すべて異なった大きさを有する関係であってもよい。なお、「Ｆ31〜Ｆ3n」を「Ｆ3」と総称する場合がある。
【００３０】
特に、例えば、折り畳み型粘着テープ又はシートが、図１に示される形態の折り畳み型粘着テープ又はシートである場合、支持体の突出した端部側の部位（展開部位）の面と突出していない端部側の部位（貼付部位）の面との間の剥離力をＦ1aとし、また、展開部位の面と該展開部位に対向している最初に折り畳んだ際の折り目部側の部位（展開側中間部位）の面との間の剥離力をＦ2aとし、さらに、最初に折り畳んだ際の折り目部側の部位（展開側中間部位および貼付側中間部位）の面どうしの間の剥離力をＦ3aとした際に、Ｆ1a、Ｆ2aおよびＦ3aが下記の関係式（１ａ）を満足していることが好ましい。
Ｆ1a＜Ｆ3a＜Ｆ2a        （１ａ）
【００３１】
このように、Ｆ1、Ｆ2、Ｆ3としては、前記関係式（１）を満足していれば、各剥離力の大きさは特に制限されないが、展開操作を容易にする観点等から、Ｆ1としては、例えば、０．１〜１．５Ｎ／２５ｍｍ（好ましくは０．２〜１．２Ｎ／２５ｍｍ、さらに好ましくは０．３〜１．０Ｎ／２５ｍｍ）であることが望ましい。Ｆ2としては、例えば、０．７〜６．０Ｎ／２５ｍｍ（好ましくは１．５〜４．０Ｎ／２５ｍｍ、さらに好ましくは１．８〜３．５Ｎ／２５ｍｍ）であることが望ましい。Ｆ3としては、例えば、０．５〜５．０Ｎ／２５ｍｍ（好ましくは１．０〜３．５Ｎ／２５ｍｍ、さらに好ましくは１．５〜３．０Ｎ／２５ｍｍ）であることが望ましい。
【００３２】
また、Ｆ1とＦ3との比としては、例えば、Ｆ3／Ｆ1＝１．５以上（好ましくは１．５〜３．５、さらに好ましくは２．０〜３．０）であることが望ましい。Ｆ3とＦ2との比としては、例えば、Ｆ2／Ｆ3＝１．１以上（好ましくは１．２〜２、さらに好ましくは１．３〜１．５）であることが望ましい。
【００３３】
なお、Ｆ1は、支持体の突出していない端部側の部位（貼付部位）における突出した端部側の部位（展開部位）側の面に形成された粘着剤層（固定粘着剤層）と、展開部位における貼付部位側の面に形成された離型処理層（固定粘着剤層用離型処理層）との間の剥離力であるので、前記固定粘着剤層を構成する粘着剤の種類、前記固定粘着剤層用離型処理層を構成する離型処理剤の種類などにより調整することができる。具体的には、図１で示される粘着テープ１の場合、Ｆ1aは、貼付部位２ａにおける展開部位２ｂ側の面に形成された固定粘着剤層３ａ２と、展開部位２ｂにおける貼付部位２ａ側の面に形成された固定粘着剤層用離型処理層３ｂ１との間の剥離力であるので、固定粘着剤層３ａ２を構成する粘着剤の種類、固定粘着剤層用離型処理層３ｂ１を構成する離型処理剤の種類などにより調整することができる。
【００３４】
また、Ｆ2は、支持体の突出した端部側の部位（展開部位）における最初に折り畳んだ際の折り目部側の部位側の面に形成された粘着剤層（展開粘着剤層）と、展開部位と対向している最初に折り畳んだ際の折り目部側の部位における展開部位側の面に形成された離型処理層（展開粘着剤層用離型処理層）との間の剥離力であるので、前記展開粘着剤層を構成する粘着剤の種類、前記展開粘着剤層用離型処理層を構成する離型処理剤の種類などにより調整することができる。具体的には、図１で示される粘着テープ１の場合、Ｆ2aは、展開部位２ｂにおける展開側中間部位２ｃ側の面に形成された展開粘着剤層３ｂ２と、展開側中間部位２ｃにおける展開部位２ｂ側の面に形成された展開粘着剤層用離型処理層３ｃ１との間の剥離力であるので、展開粘着剤層３ｂ２を構成する粘着剤の種類、展開粘着剤層用離型処理層３ｃ１を構成する離型処理剤の種類などにより調整することができる。
【００３５】
さらにまた、Ｆ3は、支持体の突出していない端部側の部位（貼付部位）と、突出した端部側の部位（展開部位）との間の部位（中間部位）における互いに対向する面に形成された仮着剤層どうしの間の剥離力であるので、これらの仮着剤層（第１仮着剤層〜第ｍ仮着剤層；ｍは中間部位における対向している面の数）を構成する仮着剤の種類などにより調整することができる。具体的には、図１で示される粘着テープ１の場合、Ｆ3aは、展開側中間部位２ｃにおける貼付側中間部位２ｄ側の面に形成された第１仮着剤層３ｃ２と、貼付側中間部位２ｄにおける展開側中間部位２ｃ側の面に形成された第２仮着剤層３ｄ１との間の剥離力であるので、第１仮着剤層３ｃ２を構成する仮着剤の種類、第２仮着剤層３ｄ１を構成する仮着剤の種類などにより調整することができる。
【００３６】
なお、支持体の突出していない端部側の部位（貼付部位）の表面に形成された粘着剤層（貼付粘着剤層）の粘着力は、特に制限されない。また、前記展開粘着剤層の粘着力も特に制限されない。
【００３７】
（支持体）
支持体（基材）としては、特に制限されないが、例えば、プラスチック製基材、金属製基材（例えば、アルミニウム箔、鉄箔、ステンレス箔、ニッケル箔、銅箔等の各種金属箔など）、繊維製基材（例えば、不織布など）、紙製基材（例えば、和紙など）などの薄葉体が挙げられる。支持体は、単層、積層のいずれの形態を有していてもよい。
【００３８】
本発明では、支持体としては、プラスチック製基材を好適に用いることができる。プラスチック製基材を構成する素材又は材料としては、例えば、ポリエチレン（ＰＥ）、ポリプロピレン（ＰＰ）、エチレン−プロピレン共重合体等のポリオレフィン系樹脂；ポリイミド（ＰＩ）；ポリエチレンテレフタレート（ＰＥＴ）、ポリブチレンテレフタレート（ＰＢＴ）等のポリエステル系樹脂；ポリアミド系樹脂；ポリメチルメタクリレート（ＰＭＭＡ）等のメタクリレート系樹脂；アクリル系樹脂；ポリスチレン、アクリロニトリル−スチレン共重合体（ＡＳ樹脂）、アクリロニトリル−ブタジエン−スチレン共重合体（ＡＢＳ樹脂）等のスチレン系樹脂；ポリカーボネート；ウレタン系樹脂：エポキシ系樹脂；フッ素系樹脂などの各種樹脂が挙げられる。プラスチック製基材としては、柔軟性等の観点から、ポリオレフィン系樹脂（なかでもポリエチレンやポリプロピレン、特にポリプロピレン）により形成されているプラスチック製基材が好適である。
【００３９】
なお、支持体（特に、プラスチック製基材）の表面には、粘着剤層等との密着力の向上等を目的に、コロナ処理やプラズマ処理等の物理的処理、下塗り剤等の化学的処理などの適宜な表面処理が施されていてもよい。
【００４０】
支持体の厚みとしては、特に制限されないが、通常、５〜１０００μｍ（好ましくは１０〜５００μｍ）である。
【００４１】
支持体としては、図１で示されているように、貼付部位の端部から展開部位の端部まで連続的に形成された構成を有していることが好ましい。すなわち、支持体としては、一方の端部から他方の端部まで連続的に形成された構成を有している支持体（長尺状の１枚のシート状基材）であることが好ましい。このように、支持体が長尺状の１枚のシート状基材であると、折り畳み型粘着テープ又はシートとしては、１枚のシート状基材が有している本来の優れた柔軟性を効果的に発現させることができ、例えば、折り畳み型粘着テープ又はシートの側面に触れても、ケガの発生が防止されている。しかも、支持体が長尺状の１枚のシート状基材であると、折り畳み型粘着テープ又はシートとした際の厚みを効果的に薄くすることができる。また、支持体が長尺状の１枚のシート状基材であると、その柔軟性により、折り畳んだ際の反発力が小さく、そのため、折り畳んだ状態を保持させるための対向する面と面との接着力が小さくてもよいので、長尺状に展開させる際の力（対向する面同士の剥離力）を効果的に低減させることができる。さらにまた、支持体の表面は段差を有しておらず、平面となっているので、折り畳み型粘着テープ又はシートとした際に、対向する面と面とを密着して、折り畳むことができる。
【００４２】
一方、支持体が、複数のシート状基材の端部側の面どうしを重ね合わせて積層して、長尺状としたもの（「積層長尺状支持体」）であると、それぞれのシート状基材としては柔らかくても、積層部では硬くなっているので、全体としても硬くなっており、折り畳み型粘着テープ又はシートは硬くなっている。また、このような積層長尺状支持体は、積層部を有しているので、その分、折り畳み型粘着テープ又はシートとした際の厚みが厚くなってしまう。さらに、積層長尺状支持体は、硬くなっているので、折り曲げた際の反発力が大きく、折り畳んだ状態を保持させるために、対向する面と面との接着力を高めなくてはならず、長尺状に展開する際の力が高くなる場合がある。しかも、積層部で折り曲げることが困難な場合があるので、折り曲げ部位が限定される場合があり、また積層部で折り曲げても、その反発力が大きく、折り畳んだ状態が保持されにくくなる。さらにまた、積層長尺状支持体の表面は、滑らかな平面でなく、積層部の端部で段差を有しているため、折り畳み型粘着テープ又はシートとした際に、対向する面と面との密着性が低くなる。
【００４３】
（貼付粘着剤層）
貼付粘着剤層は、物品に貼付するために設けられており、特に、折り畳まれた状態で（未展開の状態で）物品に貼付するための粘着剤層として設けられている。具体的には、貼付粘着剤層を利用して、折り畳み型粘着テープ又はシートを物品に貼付することにより、貼付部位を物品に貼付して固定させることができる。なお、貼付粘着剤層は、使用時までの間、剥離ライナーにより保護されていてもよいが、貼付粘着剤層用離型処理層を設けることにより、貼付粘着剤層用離型処理層と貼り合わせられていることが好ましい。貼付粘着剤層と、貼付粘着剤層用離型処理層とが貼り合わせられた形態としては、例えば、（１）折り畳み型粘着テープ又はシートが、貼付粘着剤層の表面と、貼付粘着剤層用離型処理層の表面とが接触するように重ね合わせて積層された形態、（２）折り畳み型粘着テープ又はシートが連続的に形成されている長尺状の連続体を、貼付粘着剤層の表面と、貼付粘着剤層用離型処理層の表面とが接触するようにロール状に重ね合わせて巻回した形態などが挙げられる。なお、ロール状に巻回された形態を有している場合は、利用時に、巻き戻して適宜な幅に切断することにより、適宜な幅の折り畳み型粘着テープ又はシートを得ることができる。
【００４４】
貼付粘着剤層を形成するための粘着剤（「貼付粘着剤」と称する場合がある）としては、特に制限されず、例えば、ホットメルト型粘着剤、エマルジョン系粘着剤、溶剤系粘着剤、オリゴマー系粘着剤、固系粘着剤などのいずれの形態の粘着剤であってもよい。貼付粘着剤は、単独で又は２種以上組み合わせて使用することができる。貼付粘着剤としては、ホットメルト型粘着剤を好適に用いることができる。
【００４５】
ホットメルト型粘着剤は、エラストマー（熱可塑性エラストマー等）や熱可塑性樹脂などをベースポリマーとしている。なお、ベースポリマーは単独で又は２種以上を組み合わせて使用できる。ホットメルト型粘着剤におけるベースポリマーの熱可塑性エラストマーとしては、例えば、スチレン−イソプレン−スチレンブロック共重合体（ＳＩＳ）、スチレン−ブタジエン−スチレンブロック共重合体（ＳＢＳ）、スチレン−エチレン−ブチレン−スチレンブロック共重合体（ＳＥＢＳ）、スチレン−エチレン−プロピレン−スチレンブロック共重合体（ＳＥＰＳ）、スチレン−エチレン−プロピレンブロック共重合体（ＳＥＰ）などのスチレン系熱可塑性エラストマー（スチレン系ブロックコポリマー；例えばスチレン含有量５重量％以上のスチレン系ブロックコポリマー）；ポリウレタン系熱可塑性エラストマー；ポリエステル系熱可塑性エラストマー；ポリプロピレンとＥＰＴ（三元系エチレン−プロピレンゴム）とのポリマーブレンドなどのブレンド系熱可塑性エラストマーなどが挙げられる。
【００４６】
また、ホットメルト型粘着剤におけるベースポリマーの熱可塑性樹脂としては、例えば、ポリオレフィン系樹脂、酢酸ビニル系樹脂、ポリエステル系樹脂、スチレン系樹脂、アクリル系樹脂、ポリアミド系樹脂などが挙げられる。なお、ポリオレフィン系樹脂としては、例えば、エチレン系共重合体［例えば、エチレン−酢酸ビニル共重合体（ＥＶＡ）；エチレン−アクリル酸共重合体（ＥＡＡ）、エチレン−メタクリル酸共重合体（ＥＭＡＡ）などのエチレン−不飽和カルボン酸共重合体；アイオノマー；エチレン−アクリル酸メチル共重合体、エチレン−アクリル酸エチル共重合体（ＥＥＡ）、エチレン−アクリル酸２−エチルヘキシル共重合体、エチレン−メタクリル酸メチル共重合体、エチレン−メタクリル酸エチル共重合体などのエチレン−（メタ）アクリル酸エステル共重合体；エチレン−ビニルアルコール共重合体など］の他、ポリエチレン（低密度ポリエチレン、線状低密度ポリエチレン、メタロセン触媒法ポリエチレン、中密度ポリエチレン、高密度ポリエチレンなど）、ポリプロピレン、α−オレフィン共重合体（エチレン−プロピレン共重合体、エチレン−ブテン−１共重合体、プロピレン−ブテン−１共重合体など）などのポリオレフィン；ポリプロピレン変性樹脂などが挙げられる。また、酢酸ビニル系樹脂としては、例えば、ポリ酢酸ビニル、酢酸ビニル−（メタ）アクリル酸エステル共重合体、酢酸ビニル−ビニルエステル共重合体、酢酸ビニル−マレイン酸エステル共重合体などが挙げられる。
【００４７】
ホットメルト型粘着剤としては、ベースポリマーが熱可塑性エラストマー（特に、スチレン系熱可塑性エラストマー）であるホットメルト型粘着剤が好適である。
【００４８】
また、エマルジョン系粘着剤や溶剤系粘着剤等の粘着剤としては、アクリル系粘着剤、ゴム系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤などの粘着剤であって、それぞれの形態（例えば、エマルジョンの形態、溶液の形態など）の粘着剤が挙げられる。
【００４９】
なお、貼付粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。
【００５０】
貼付粘着剤としては、いわゆる「強粘着剤」を好適に用いることができる。具体的には、貼付粘着剤による貼付粘着剤層の粘着力としては、ＪＩＳ  Ｚ  ０２３７に規定された１８０°引き剥し試験において、２．０Ｎ／１０ｍｍ以上であることが望ましい。
【００５１】
貼付粘着剤層の形成方法としては、公知乃至慣用の粘着剤層の形成方法を採用することができ、例えば、支持体の所定の面における所定の部位上に、貼付粘着剤を乾燥後の厚さが所定の厚さとなるように直接塗工して乾燥する方法（塗布方法）、セパレータ上に、乾燥後の厚さが所定の厚さとなるように貼付粘着剤を塗布して粘着剤層を形成した後、該粘着剤層を基材上に転写する方法（転写方法）などが挙げられる。
【００５２】
貼付粘着剤層の厚みとしては、特に限定するものではないが、粘着特性等の点から、１０μｍ以上であることが望ましく、例えば、１０〜１０００μｍ（好ましくは２０〜５００μｍ）程度の範囲から選択することができる。
【００５３】
（固定粘着剤層）
固定粘着剤層は、折り畳み型粘着テープ又はシートを、該折り畳まれた状態を保持させるための粘着剤層として設けられている。具体的には、固定粘着剤層を、展開部位における固定粘着剤層用離型処理層に貼り合わせることにより、貼付部位と展開部位とについて、折り畳まれている状態を保持させることができる。もちろん、この貼り合わせでは粘着剤層と離型処理層（剥離処理層）とが用いられているので、貼付部位と展開部位とは剥離可能となっている。
【００５４】
固定粘着剤層を形成するための粘着剤（「固定粘着剤」と称する場合がある）としては、特に制限されず、前記貼付粘着剤と同様の粘着剤を用いることができる。具体的には、固定粘着剤としては、例えば、ホットメルト型粘着剤、エマルジョン系粘着剤、溶剤系粘着剤、オリゴマー系粘着剤、固系粘着剤などのいずれの形態の粘着剤であってもよい。固定粘着剤は、単独で又は２種以上組み合わせて使用することができる。固定粘着剤としては、ホットメルト型粘着剤を好適に用いることができる。
【００５５】
固定粘着剤におけるホットメルト型粘着剤としては、前記貼付粘着剤におけるホットメルト型粘着剤と同様に、エラストマー（熱可塑性エラストマー等）や熱可塑性樹脂などをベースポリマーとするホットメルト型粘着剤が挙げられる。なお、ホットメルト型粘着剤における熱可塑性エラストマーや熱可塑性樹脂としては、前記と同様の熱可塑性エラストマーや熱可塑性樹脂が挙げられる。ホットメルト型粘着剤としては、ベースポリマーが熱可塑性エラストマー（特に、スチレン系熱可塑性エラストマー）であるホットメルト型粘着剤が好適である。
【００５６】
また、エマルジョン系粘着剤や溶剤系粘着剤等の粘着剤としては、前記貼付粘着剤の場合と同様の粘着剤が挙げられる。
【００５７】
なお、固定粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。
【００５８】
固定粘着剤としては、いわゆる「弱粘着剤」を好適に用いることができる。具体的には、固定粘着剤による固定粘着剤層の粘着力としては、ＪＩＳ  Ｚ  ０２３７に規定された１８０°引き剥し試験において、０．５Ｎ／１０ｍｍ以上であることが望ましい。
【００５９】
固定粘着剤層の形成方法としては、前記貼付粘着剤層と同様に、公知乃至慣用の粘着剤層の形成方法を採用することができ、例えば、支持体の所定の面における所定の部位上に、固定粘着剤を乾燥後の厚さが所定の厚さとなるように直接塗工して乾燥する方法（塗布方法）、セパレータ上に、乾燥後の厚さが所定の厚さとなるように固定粘着剤を塗布して粘着剤層を形成した後、該粘着剤層を基材上に転写する方法（転写方法）などが挙げられる。
【００６０】
固定粘着剤層の厚みとしては、特に限定するものではないが、粘着特性等の点から、例えば、１０〜１０００μｍ（好ましくは２０〜５００μｍ）程度の範囲から選択することができる。
【００６１】
（展開粘着剤層）
展開粘着剤層は、基本的には、物品に貼付するために設けられており、特に、展開した状態で物品に貼付するための粘着剤層として設けられている。また、未展開の状態では、折り畳み型粘着テープ又はシートを、該折り畳まれた状態を保持させるための機能も発揮している。具体的には、展開粘着剤層を、展開側中間部位における展開粘着剤層用離型処理層に貼り合わせることにより、展開部位と展開側中間部位とについて、折り畳まれている状態を保持させることができる。もちろん、この貼り合わせでは粘着剤層と離型処理層とが用いられているので、展開部位と展開側中間部位とは剥離可能となっている。また、折り畳まれた状態で貼付粘着剤層により物品に貼付された折り畳み型粘着テープ又はシートを、長尺状に展開し、該展開した状態の粘着テープ又はシートを、展開粘着剤層を利用して、物品に貼付することにより、長尺状の粘着テープ又はシートを物品に貼付することができる。このとき、両端に形成された粘着剤層（貼付粘着剤層、展開粘着剤層）を利用して、長尺状の粘着テープ又はシートを物品に貼付しているので、物品を拘束する（特に、物品を所定の形状にして拘束する）機能を発揮することができる。
【００６２】
展開粘着剤層を形成するための粘着剤（「展開粘着剤」と称する場合がある）としては、特に制限されず、前記貼付粘着剤や固定粘着剤と同様の粘着剤を用いることができる。具体的には、展開粘着剤としては、例えば、ホットメルト型粘着剤、エマルジョン系粘着剤、溶剤系粘着剤、オリゴマー系粘着剤、固系粘着剤などのいずれの形態の粘着剤であってもよい。展開粘着剤は、単独で又は２種以上組み合わせて使用することができる。展開粘着剤としては、ホットメルト型粘着剤を好適に用いることができる。
【００６３】
展開粘着剤におけるホットメルト型粘着剤としては、前記貼付粘着剤や固形粘着剤におけるホットメルト型粘着剤と同様に、エラストマー（熱可塑性エラストマー等）や熱可塑性樹脂などをベースポリマーとするホットメルト型粘着剤が挙げられる。なお、ホットメルト型粘着剤における熱可塑性エラストマーや熱可塑性樹脂としては、前記と同様の熱可塑性エラストマーや熱可塑性樹脂が挙げられる。ホットメルト型粘着剤としては、ベースポリマーが熱可塑性エラストマー（特に、スチレン系熱可塑性エラストマー）であるホットメルト型粘着剤が好適である。
【００６４】
また、エマルジョン系粘着剤や溶剤系粘着剤等の粘着剤としては、前記貼付粘着剤や固形粘着剤の場合と同様の粘着剤が挙げられる。
【００６５】
なお、展開粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。
【００６６】
展開粘着剤としては、いわゆる「強粘着剤」を好適に用いることができる。具体的には、展開粘着剤による展開粘着剤層の粘着力としては、ＪＩＳ  Ｚ  ０２３７に規定された１８０°引き剥し試験において、２．０Ｎ／１０ｍｍ以上であることが望ましい。
【００６７】
展開粘着剤層の形成方法としては、前記貼付粘着剤層や固定粘着剤層と同様に、公知乃至慣用の粘着剤層の形成方法を採用することができ、例えば、支持体の所定の面における所定の部位上に、展開粘着剤を乾燥後の厚さが所定の厚さとなるように直接塗工して乾燥する方法（塗布方法）、セパレータ上に、乾燥後の厚さが所定の厚さとなるように展開粘着剤を塗布して粘着剤層を形成した後、該粘着剤層を基材上に転写する方法（転写方法）などが挙げられる。
【００６８】
展開粘着剤層の厚みとしては、特に限定するものではないが、粘着特性等の点から、１０μｍ以上であることが望ましく、例えば、１０〜１０００μｍ（好ましくは２０〜５００μｍ）程度の範囲から選択することができる。
【００６９】
本発明では、貼付粘着剤、固定粘着剤、展開粘着剤は、それぞれの間で、同一の粘着剤であってもよく、異なる粘着剤であってもよい。また、同種の粘着剤であってもよい。
【００７０】
（仮着剤層）
支持体の突出していない端部側の部位（貼付部位）と、突出した端部側の部位（展開部位）との間の部位（中間部位）に関する仮着剤層［具体的には、図１で示される粘着テープ１の場合、展開側中間部位および貼付側中間部位に関する仮着剤層（第１仮着剤層および第２仮着剤層）］は、折り畳み型粘着テープ又はシートを、密接に折り畳まれた状態を保持させるために設けられている。具体的には、仮着剤層どうしを貼り合わせることにより［図１で示される粘着テープ１の場合、第１仮着剤層と、第２仮着剤層とを貼り合わせることにより］、展開側中間部位と貼付側中間部位とが密接に折り畳まれている状態を保持させることができる。なお、この貼り合わせでは仮着剤層が用いられているので、中間部位どうしは（図１で示される粘着テープ１の場合、展開側中間部位と貼付側中間部位とは）、剥離可能となっているとともに、剥離後は、仮着剤層の接着性が著しく低下し、再接着させることが難しくなっている。中間部位の表面（図１で示される粘着テープ１の場合、展開側中間部位と貼付側中間部位との表面）は、ベタベタしていない。従って、折り畳み型粘着テープ又はシートを長尺状に展開した際には、仮着剤層が表面に露出するが、仮着剤層の表面は非粘着面となっているので、指や物品の一部などが仮着剤層の表面に触れても接着し難い。
【００７１】
仮着剤層（第１仮着剤層、第２仮着剤層）を形成する仮着剤としては、特に制限されず、例えば、ポリオレフィン系仮着剤（例えば、ポリエチレン系仮着剤、ポリプロピレン系仮着剤、エチレン−プロピレン共重合体系仮着剤など）；スチレン系仮着剤（例えば、スチレン系熱可塑性エラストマーによる仮着剤等）などの公知の仮着剤を用いることができる。仮着剤は単独で又は２種以上組み合わせて使用することができる。なお、各仮着剤層（図１で示される粘着テープ１の場合、第１仮着剤層、第２仮着剤層）は、同一の仮着剤により形成されていてもよく、異なる仮着剤により形成されていてもよい。
【００７２】
各仮着剤層を形成する仮着剤としては、ポリオレフィン系仮着剤（なかでも、ポリプロピレン系仮着剤）を好適に用いることができる。
【００７３】
仮着剤層の形成方法としては、公知乃至慣用の仮着剤層の形成方法を採用することができる。例えば、支持体の所定の面における所定の部位上に、熱溶融された仮着剤を直接塗工して冷却する方法（ホットメルト塗工方法）や、乾燥後の厚さが所定の厚さがとなるように溶液型の仮着剤を塗工して乾燥する方法（溶液塗工方法）などが挙げられる。
【００７４】
仮着剤層の厚みとしては、特に限定するものではないが、各仮着剤層（第１仮着剤層、第２仮着剤層など）の厚みとして、例えば、２〜４０μｍ（好ましくは５〜１５μｍ）程度の範囲から選択することができる。
【００７５】
（離型処理層）
固定粘着剤層用離型処理層は、前述のように、固定粘着剤層と剥離可能な形態で貼り合わせるために設けられている。また、展開粘着剤層用離型処理層は、前述のように、展開粘着剤層と剥離可能な形態で貼り合わせるために設けられている。
【００７６】
一方、貼付粘着剤層用離型処理層は、前述のように、貼付部位上の貼付粘着剤層と剥離可能な形態で貼り合わせるために設けられている。従って、貼付粘着剤層用離型処理層と、貼付粘着剤層とを貼り合わせる必要がない場合（例えば、貼付粘着剤層が剥離ライナーにより保護される場合）は、貼付粘着剤層用離型処理層は設けられていなくてもよい。すなわち、貼付粘着剤層用離型処理層は、任意に設けることができる。
【００７７】
固定粘着剤層用離型処理層、展開粘着剤層用離型処理層や、貼付粘着剤層用離型処理層などの離型処理層において、離型処理層を形成する離型処理剤（剥離処理剤）としては、特に制限されず、例えば、長鎖アルキル基含有ポリマーによる離型処理剤、シリコーン系離型処理剤、フッ素系離型処理剤などの公知の離型処理剤を適宜選択して用いることができ、なかでもシリコーン系離型処理剤を好適に用いることができる。
【００７８】
離型処理層（固定粘着剤層用離型処理層、展開粘着剤層用離型処理層、貼付粘着剤層用離型処理層など）の形成方法としては、公知乃至慣用の離型処理層の形成方法を採用することができ、例えば、支持体の所定の面における所定の部位上に、離型処理剤を乾燥後の厚さが所定の厚さとなるように直接塗工して乾燥する方法（塗布方法）などが挙げられる。離型処理層の厚みとしては、特に制限されず、例えば、０．００１〜５μｍ程度の範囲から選択することができる。
【００７９】
（つまみ部用印刷層）
つまみ部用印刷層は、つまみ部を明確に示すために形成されている。従って、つまみ部用印刷層は、つまみ部を明確に示す必要がない場合は、形成されていなくてもよい。すなわち、つまみ部用印刷層は、任意に設けることができる。つまみ部用印刷層は、公知の各種印刷方法を適宜利用して形成することができる。なお、つまみ部用印刷層を形成する印刷インキなどは特に制限されず、印刷方法等に応じて公知の印刷インキから適宜選択することができる。
【００８０】
（折り畳み型粘着テープ又はシートの製造方法）
本発明の折り畳み型粘着テープ又はシートは、各粘着剤層（貼付粘着剤層、固定粘着剤層、展開粘着剤層）、各仮着剤層、各離型処理層（固定粘着剤層用離型処理層、展開粘着剤層用離型処理層、必要に応じて貼付粘着剤層用離型処理層）、および必要に応じてつまみ部用印刷層などの各層を形成する工程（各層形成工程）と、固定粘着剤層と固定粘着剤層用離型処理層とが接触するように、つまみ部が形成される形態で折り畳む工程（第１折り畳み工程）と、展開粘着剤層と展開粘着剤層用離型処理層とが接触するように、つまみ部が形成される形態で折り畳む工程（第２折り畳み工程）を具備する製造方法により作製することができる。
【００８１】
具体的には、図１で示される折り畳み型粘着テープ又はシートは、下記の工程を具備する製造方法により作製することができる。
支持体の所定の面における所定の部位に貼付粘着剤層を形成する工程
支持体の所定の面における所定の部位に固定粘着剤層を形成する工程
支持体の所定の面における所定の部位に展開粘着剤層を形成する工程
支持体の所定の面における所定の部位に第１仮着剤層を形成する工程
支持体の所定の面における所定の部位に第２仮着剤層を形成する工程
支持体の所定の面における所定の部位に固定粘着剤層用離型処理層を形成する工程
支持体の所定の面における所定の部位に展開粘着剤層用離型処理層を形成する工程
固定粘着剤層と固定粘着剤層用離型処理層とが接触するように、つまみ部が形成される形態で折り畳む工程（第１折り畳み工程）
展開粘着剤層と展開粘着剤層用離型処理層とが接触するように、つまみ部が形成される形態で折り畳む工程（第２折り畳み工程）
【００８２】
また、必要に応じて、さらに下記の工程を含んでいてもよい。
支持体の所定の面における所定の部位に貼付粘着剤層用離型処理層を形成する工程
支持体の所定の面における所定の部位につまみ部用印刷層を形成する工程
【００８３】
このように、折り畳み型粘着テープ又はシートは、各層を形成する工程（各層形成工程）と、第１折り畳み工程と、第２折り畳み工程とを具備する製造方法により作製することができる。例えば、図１で示される折り畳み型粘着テープ又はシートの場合、図３に示されるように、支持体における一方の面の所定の部位に、固定粘着剤層、第１仮着剤層、第２仮着剤層、固定粘着剤層用離型処理層を形成し、他方の面の所定の部位に、貼付粘着剤層、貼付粘着剤層用離型処理層、展開粘着剤層用離型処理層、展開粘着剤層、つまみ部用印刷層を形成して、予め各層をすべて形成した後、固定粘着剤層と固定粘着剤層用離型処理層とが接触し、且つ、つまみ部が形成されるように、突出端部（つまみ部用印刷層側の端部）が、非突出端部（固定粘着剤層側の端部）より突出した状態で折り畳み、さらに、その後、展開粘着剤層と展開粘着剤層用離型処理層とが接触し、且つ、つまみ部が形成されるように、第１折り目部（突出端部が非突出端部より突出した状態として折り畳まれた際の折り目部）が、突出端部よりも手前側に位置する状態で折り畳むことにより、形成してもよい。また、第１折り畳み工程を行う前に、固定粘着剤層、第１仮着剤層、第２仮着剤層および固定粘着剤層用離型処理層を形成してから第１折り畳み工程を行い、その後、第２折り畳み工程を行う前に、貼付粘着剤層、貼付粘着剤層用離型処理層、展開粘着剤層用離型処理層、展開粘着剤層およびつまみ部用印刷層を形成してから第２折り畳み工程を行うことにより作製することもできる。また、製作設備、工程の工夫で、第１折り畳み工程の前に、固定粘着剤層、第１仮着剤層、第２仮着剤層、固定粘着剤層用離型処理層、貼付粘着剤層、貼付粘着剤層用離型処理層、展開粘着剤層用離型処理層、展開粘着剤層及びつまみ部用印刷層を形成してから、第１折り畳み工程と、第２折り畳み工程とを続けて行うことにより作製することもできる。
【００８４】
図３は、本発明の粘着テープ又はシートを作製する方法の一例を示す概略断面図であり、図３（ａ）は支持体上の所定の部位に各層が形成された状態を示し、図３（ｂ）は各層が形成された支持体を、固定粘着剤層と固定粘着剤層用離型処理層とが接触するように、つまみ部が形成される形態で折り畳んだ状態を示し、図３（ｃ）は、図３（ｂ）で示されるように折り畳んだ後、展開粘着剤層と展開粘着剤層用離型処理層とが接触するように、つまみ部が形成される形態で折り畳んだ状態を示している。図３において、１、１ａ〜１ｄ、２、２ａ〜２ｄ、３ａ１、３ａ２、３ｂ１、３ｂ２、３ｂ３、３ｃ１、３ｃ２、３ｄ１、３ｄ２、４などの符号は、前記に同じ。
【００８５】
本発明の折り畳み型粘着テープ又はシートとしては、まず、それぞれ、支持体の所定の面における所定の部位に、固定粘着剤層用離型処理層、展開粘着剤層用離型処理層、貼付粘着剤層用離型処理層等の離型処理層を形成した後、第１仮着剤層および第２仮着剤層と、固定粘着剤層とを同時に又は別々に形成してから、固定粘着剤層と固定粘着剤層用離型処理層とが接触するように、つまみ部が形成される形態で折り畳み、その後、貼付粘着剤層と、展開粘着剤層とを同時に又は別々に形成してから、展開粘着剤層と展開粘着剤層用離型処理層とが接触するように、つまみ部が形成される形態で折り畳むことにより、好適に作製することができる。この際、つまみ部用印刷層は、適宜な段階で形成することができる。
【００８６】
なお、本発明の折り畳み型粘着テープ又はシートとしては、図４で示されるように、前述のように折り畳まれた状態の粘着テープ又はシートが連続的に形成されている長尺状の連続体を、貼付粘着剤層の表面と、貼付粘着剤層用離型処理層の表面とが接触するようにロール状に重ね合わせて巻回し、使用時に巻き戻して適宜な幅に切断する形態で提供することもできる。このように、折り畳まれた状態でロール状に巻回された形態の粘着テープ又はシートは、例えば、長尺状の支持体の一方の面の幅方向における所定の部位に、固定粘着剤層、第１仮着剤層、第２仮着剤層、固定粘着剤層用離型処理層を形成し、他方の面の幅方向における所定の部位に、貼付粘着剤層、貼付粘着剤層用離型処理層、展開粘着剤層用離型処理層、展開粘着剤層、つまみ部用印刷層を形成して、適宜な時に、幅方向で、固定粘着剤層と固定粘着剤層用離型処理層とが接触するように、つまみ部が形成される形態で折り畳む工程（第１折り畳み工程）と、展開粘着剤層と展開粘着剤層用離型処理層とが接触するように、つまみ部が形成される形態で折り畳む工程（第２折り畳み工程）とを行った後、貼付粘着剤層の表面と、貼付粘着剤層用離型処理層の表面とが接触するようにロール状に重ね合わせて巻回することにより、作製することができる。
【００８７】
図４は、本発明の粘着テープ又はシートの一例を示す概略断面図であり、図４（ａ）は折り畳まれた状態の粘着テープ又はシートが連続的に形成されている長尺状の連続体をロール状に重ね合わせて巻回された形態の粘着テープ又はシートを示し、図４（ｂ）は、図４（ａ）におけるＸ−Ｙ線断面図である。なお、図４において、１１は折り畳まれた状態の粘着テープ又はシートが連続的に形成されている長尺状の連続体をロール状に重ね合わせて巻回された形態の粘着テープ又はシートであり、１ａ〜１ｄ、２、２ａ〜２ｄ、３ａ１、３ａ２、３ｂ１、３ｂ２、３ｂ３、３ｃ１、３ｃ２、３ｄ１、３ｄ２、４は、前記に同じ。
【００８８】
本発明の折り畳み型粘着テープ又はシートは、前記構成を有しているので、折り畳んだ際に、折り畳まれている各部位で浮きが生じず、しかも容易に長尺状に展開させることができる。また、前記折り畳み型粘着テープ又はシートは、極めて薄くすることができる。そのため、本発明の折り畳み型粘着テープ又はシートとしては、各種物品を丸めた状態で保持させるための拘束用粘着テープ又はシートとして有用であり、特に、破棄する際に丸めることが可能な物品に予め貼付して、該物品を廃棄する際に長尺状に展開させて、物品を丸めた状態で保持させるための拘束用粘着テープ又はシートとして好適に用いることができる。このような物品としては、特に制限されないが、例えば、紙おむつ（又は使い捨ておむつ等とも称されている）［特に、いわゆる「パンツ型紙おむつ」（又は「パンツ型使い捨ておむつ」等とも称されている）］や生理ナプキン等が挙げられる。
【００８９】
［紙おむつ］
本発明の紙おむつ（使い捨ておむつ）は、紙おむつを廃棄する際に丸めた状態で保持させるための拘束用粘着テープ又はシートとして、前記折り畳み型粘着テープ又はシートが用いられている。このような紙おむつとしては、いわゆる「テープ型紙おむつ」（又は「テープ型使い捨ておむつ」、「オープンタイプ紙おむつ」、「オープンタイプ使い捨ておむつ」等とも称されている）であってもよいが、パンツ型紙おむつが好適に用いられる。なお、紙おむつとしては、大人用紙おむつ乃至乳幼児用紙おむつのいずれであってもよいが、乳幼児用紙おむつが好適である。
【００９０】
折り畳み型粘着テープ又はシートを紙おむつに貼付する部位としては、特に制限されないが、例えば、図５で示されるように、紙おむつの背側表面におけるウエスト部の上下幅領域内に位置する部位（図５における５ａ）や、紙おむつのウエスト部に位置する部位（図５における５ｂ）などが挙げられる。折り畳み型粘着テープ又はシートを紙おむつに貼付する部位としては、乳幼児のいたずら防止等の観点から、紙おむつの背側表面におけるウエスト部の上下幅領域内に位置する部位（図５における５ａ）が好ましい。
【００９１】
なお、図５はパンツ型紙おむつの一例を示す概略図である。図５において、５はパンツ型紙おむつ、５ａはパンツ型紙おむつの背側表面におけるウエスト部の上下幅領域内に位置する部位、５ｂはパンツ型紙おむつのウエスト部に位置する部位、Ａはパンツ型紙おむつの背側、Ｂはパンツ型紙おむつのウエスト側、Ｃはパンツ型紙おむつの前側である。
【００９２】
折り畳み型粘着テープ又はシートを紙おむつに貼付する際には、その長手方向は、紙おむつの胴回り方向、上下方向のいずれの方向になるように貼付してもよいが、胴回り方向になるように貼付されていることが好ましい。特に、本発明の折り畳み型粘着テープ又はシートは、長手方向が胴回り方向となるように貼付されていても、長尺状に展開した際の長さが長いので、紙おむつを丸めた状態で拘束して保持させるのに十分な長さとすることができる。
【００９３】
従って、本発明の折り畳み型粘着テープ又はシートは、紙おむつの背側表面におけるウエスト部の上下幅領域内に位置する部位に、長手方向が胴回り方向又は上下方向となるように貼付されていることが好ましく、特に、紙おむつの背側表面におけるウエスト部の上下幅領域内に位置する部位に、長手方向が胴回り方向となるように貼付されていることが好適である。
【００９４】
本発明の折り畳み型粘着テープ又はシートを、紙おむつの背側表面におけるウエスト部の上下幅領域内に位置する部位に、長手方向が胴回り方向となるように貼付する場合、折り畳み型粘着テープ又はシートとしては、１つ乃至２つ以上用いることができるが、２つ用いることが好ましい。例えば、２つの折り畳み型粘着テープ又はシートを紙おむつの背側表面におけるウエスト部の上下幅領域内に位置する部位に、長手方向が胴回り方向となるように貼付する場合、図６で示されるように、つまみ部どうしが対面する形態で貼付することが好ましい。
【００９５】
図６は、本発明の折り畳み型粘着テープ又はシートが貼付されている紙おむつの一例を示す概略図である。図６において、１、５、Ａ、Ｂは、前記と同様に、それぞれ、折り畳み型粘着テープ又はシート、紙おむつ、パンツ型紙おむつの背側、パンツ型紙おむつのウエスト側である。
【００９６】
このように、本発明の折り畳み型粘着テープ又はシートを、紙おむつの背側表面におけるウエスト部の上下幅領域内に位置する部位に、長手方向が胴回り方向となるように貼付すると、紙おむつを破棄する際には、紙おむつの股に位置する部分から前側に胴に位置する方向に丸めた後、さらに、両側のウエスト部を前側に丸め、この状態で、折り畳み型粘着テープ又はシートを展開させ展開粘着剤層を利用して貼付して拘束することができるので、長手方向が上下方向となるように貼付した場合と比較して、ウエスト部を前側に丸めることも可能となっているため、より一層コンパクトに紙おむつを丸めることができる。そのため、ゴミの減量を図ることもできる。
【００９７】
特に、両側のウエスト部を前側に丸めて拘束することができるので、丸めた際に排泄物が、流動性の高い排泄物であっても、紙おむつの足を通す部分から漏れることを効果的に抑制または防止することができる。そのため、紙おむつの股に位置する部分から胴に位置する方向のみに丸めた場合よりも、より一層衛生的に、紙おむつを丸めた状態で廃棄することができる。
【００９８】
また、折り畳み型粘着テープ又はシートは容易に長尺状に展開することができるので、紙おむつの交換に要する時間を短縮することができ、おむつ交換をより一層迅速に行うことができる。
【００９９】
なお、前記折り畳み型粘着テープ又はシートは、支持体の各部位間で浮きが生じておらず、しかも、折り畳まれているにもかかわらず極めて薄いので、紙おむつに予め貼付していても、紙おむつ（特にパンツ型紙おむつ）の外観性は良好である。
【実施例】
【０１００】
以下、実施例を挙げて本発明をより具体的に説明するが、本発明は実施例のみに限定されるものではない。
【０１０１】
（実施例１）
支持体として、１３０ｍｍ幅に切断したポリプロピレン製シート（商品名「トレファン」東レ社製；厚み４０μｍ）を用い、図７（ａ）に示されるように、該ポリプロピレン製シート２における所定の面の所定の部位に、それぞれ、シリコーン系離型処理剤（商品名「ＵＶ−９３００」ＧＥ東芝シリコーン社製）を厚みが０．５μｍとなるように塗布し硬化して、貼付粘着剤層用離型処理層３ｄ２（幅：３０ｍｍ）、展開粘着剤層用離型処理層３ｃ１（幅：３０ｍｍ）を形成するとともに、シリコーン系離型処理剤（商品名「ＵＶ−９３００」ＧＥ東芝シリコーン社製）を厚みが０．５μｍとなるように塗布し硬化して、固定粘着剤層用離型処理層３ｂ１（幅：３０ｍｍ）を形成した後、仮着剤（商品名「ＪＭ−６０６５Ｃ」日本フーラー社製）を厚みが１０μｍとなるように塗布して、第１仮着剤層３ｃ２（幅：３０ｍｍ）、第２仮着剤層３ｄ１（幅：３０ｍｍ）を形成するとともに、ホットメルト型粘着剤（商品名「Ｎ−９４１」ヤスハラケミカル社製；スチレン系ブロック共重合体をベースポリマーとするホットメルト型粘着剤）を厚みが３０μｍとなるように塗布して、固定粘着剤層３ａ２（幅：３０ｍｍ）を形成し、さらに、図７（ｂ）に示されるように、固定粘着剤層３ａ２と固定粘着剤層用離型処理層３ｂ１とが接触するように、つまみ部が形成される形態で折り畳んだ後、図７（ｃ）で示されるように、ホットメルト型粘着剤（商品名「ヒロダイン５１５３」ヤスハラケミカル社製）を厚みが３０μｍとなるように塗布して、貼付粘着剤層３ａ１（幅：３０ｍｍ）、展開粘着剤層３ｂ２（幅：３０ｍｍ）を形成するとともに、印刷を行って、つまみ部用印刷層３ｂ３（幅：１０ｍｍ）を形成し、さらに、図７（ｄ）で示されるように、展開粘着剤層３ｂ２と展開粘着剤層用離型処理層３ｃ１とが接触するように、つまみ部４が形成される形態で折り畳み、さらに、貼付粘着剤層３ａ１と、貼付粘着剤層用離型処理層３ｄ２とを重ね合わせてロール状に巻回させることにより、図１又は４で示されるような、特定の構成を有する形態で折り畳まれた状態のロール状に巻回された形態の粘着テープ又はシート（折り畳み型粘着テープ又はシート）を作製した。
【０１０２】
図７は、実施例１において、折り畳み型粘着テープ又はシートを作製する方法を示す概略断面図である。図７において、各符号は、前記に同じである。
【０１０３】
なお、このロール状に巻回された形態の折り畳み型粘着テープ又はシートを、巻き戻して、２０ｍｍ幅に切断して得られる折り畳み型粘着テープ又はシートは、浮きが生じておらず、折り畳まれた状態での密着性が良好であると言える。また、折り畳み型粘着テープ又はシートは、支持体が長尺状の１枚のシート基材であるので、薄く折り畳まれているとともに、柔軟性を有している。
【０１０４】
前記折り畳み型粘着テープ又はシートを、パンツ型紙おむつの背側表面におけるウエスト部の上下幅領域内に位置する部位に、長手方向が胴回り方向となり、且つ、つまみ部どうしが対面する形態で２つ貼付して、図６で示されるような、折り畳み型粘着テープ又はシートが設けられたパンツ型紙おむつを作製した。このパンツ型紙おむつについて、任意に選ばれた１０人に、下記に示される外観性評価方法、廃棄性試験方法により、外観性、廃棄の際の容易性について評価してもらったところ、表１に示される結果が得られた。
【０１０５】
（外観性評価方法）
折り畳み型粘着テープ又はシートを貼付されたパンツ型紙おむつの全体について、外観性は良好であるかどうかを目視で観察して評価する。
【０１０６】
（廃棄性試験方法）
紙おむつの股に位置する部分から前側に胴に位置する方向に丸めた後、さらに、両側のウエスト部を前側に丸め、この状態で、折り畳み型粘着テープ又はシートを展開させ展開粘着剤層を利用して貼付することにより拘束し、この拘束方法が容易であるかどうかについて評価する。
【０１０７】
【表１】
2005054135.tif 000003
【０１０８】
表１より、実施例１により得られた折り畳み型粘着テープ又はシートが、紙おむつの特定の部位に、特定の形態で貼付されているパンツ型紙おむつは、外観性が良好であるとともに、パンツ型紙おむつを廃棄する際には、コンパクトに丸めて容易に保持させることができることが確認された。
【０１０９】
なお、実施例１により得られた折り畳み型粘着テープ又はシートは、パンツ型紙おむつの他の部位に貼付されていても、丸めた状態を保持させることが可能であることは明らかである。
【図面の簡単な説明】
【０１１０】
【図１】本発明の粘着テープ又はシートの一例を示す概略断面図である。
【図２】本発明の粘着テープ又はシートの他の例を示す概略断面図である。
【図３】本発明の粘着テープ又はシートを作製する方法の一例を示す概略断面図であり、図３（ａ）は支持体上の所定の部位に各層が形成された状態を示し、図３（ｂ）は各層が形成された支持体を、固定粘着剤層と固定粘着剤層用離型処理層とが接触するように、つまみ部が形成される形態で折り畳んだ状態を示し、図３（ｃ）は、図３（ｂ）で示されるように折り畳んだ後、展開粘着剤層と展開粘着剤層用離型処理層とが接触するように、つまみ部が形成される形態で折り畳んだ状態を示している。
【図４】本発明の粘着テープ又はシートの一例を示す概略断面図であり、図４（ａ）は折り畳まれた状態の粘着テープ又はシートが連続的に形成されている長尺状の連続体をロール状に重ね合わせて巻回された形態の粘着テープ又はシートを示し、図４（ｂ）は、図４（ａ）におけるＸ−Ｙ線断面図である。
【図５】パンツ型紙おむつの一例を示す概略図である。
【図６】本発明の折り畳み型粘着テープ又はシートが貼付されている紙おむつの一例を示す概略図である。
【図７】実施例１において、折り畳み型粘着テープ又はシートを作製する方法を示す概略断面図である。
【符号の説明】
【０１１１】
１      粘着テープ又はシート
１ａ    突出していない端部（非突出端部）
１ｂ    突出した端部（突出端部）
１ｃ    突出端部１ｂが非突出端部１ａより突出した状態として折り畳まれた際の折り目部（第１折り目部）
１ｄ    第１折り目部を突出端部１ｂ側の面に、該突出端部１ｂよりも手前側に位置する状態として折り畳まれた際の折り目部（第２折り目部）
２      支持体
２ａ    支持体２の突出していない端部側の部位（貼付部位）
２ｂ    支持体２の突出した端部側の部位（展開部位）
２ｃ    支持体２の突出した端部側の部位２ｂと対向している内面側の折り目部側の部位（展開側中間部位）
２ｄ    支持体２の外面側の折り目部側の部位（貼付側中間部位）
３ａ１  粘着剤層（貼付粘着剤層）
３ａ２  粘着剤層（固定粘着剤層）
３ｂ１  離型処理層（固定粘着剤層用離型処理層）
３ｂ２  粘着剤層（展開粘着剤層）
３ｂ３  印刷層
３ｃ１  離型処理層（展開粘着剤層用離型処理層）
３ｃ２  仮着剤層
３ｄ１  仮着剤層
３ｄ２  離型処理層（貼付粘着剤層用離型処理層）
４      つまみ部
Ｆ1a    固定粘着剤層３ａ２と、固定粘着剤層用離型処理層３ｂ１との間の剥離力
Ｆ2a    展開粘着剤層３ｂ２と、展開粘着剤層用離型処理層３ｃ１との間の剥離力
Ｆ3a    第１仮着剤層３ｃ２と、第２仮着剤層３ｄ１との間の剥離力
５      パンツ型紙おむつ
５ａ    パンツ型紙おむつの背側表面におけるウエスト部の上下幅領域内に位置する部位
５ｂ    パンツ型紙おむつのウエスト部に位置する部位
Ａ      パンツ型紙おむつの背側
Ｂ      パンツ型紙おむつのウエスト側
Ｃ      パンツ型紙おむつの前側
【図１】
2005054135.tif 000004
【図２】
2005054135.tif 000005
【図３】
2005054135.tif 000006
【図４】
2005054135.tif 000007
【図５】
2005054135.tif 000008
【図６】
2005054135.tif 000009
【図７】
2005054135.tif 000010